(57)【要約】      （修正有）【課題】スプーンなどの押し付け具で、バッグをカップ内部側面に押し付ける方法は、抽出液が跳ね上がって、コップから跳ね出す危険がある。これを回避するためのティーバッグ用抽出具を提供する。【解決手段】円板状の押圧部材８２，９２とロッド部材８１，９１とよりなるティーバック用抽出具８，９であって、前記ロッド部材８１，９１は、前記押圧部材８２，９２の上面周縁部に直角に螺着され、前記押圧部材８２は、周縁に近い円上に均一に配置された複数の貫通した丸孔部８３、又は網目状の貫通孔部を有し、前記ロッド部材８１，９１と前記押圧部材８２，９２は、金属素材若しくは合成樹脂素材により形成してなることを特徴とするティーバック用抽出具。又は、前記ロッド部材８１、９１と前記押圧部材８２、９２は、金属素材若しくは合成樹脂素材により一体に形成してなることを特徴とするティーバック用抽出具。【選択図】図１
2019093079.tif 000002
【特許請求の範囲】
【請求項１】
円板状の押圧部材とロッド部材とよりなるティーバック用抽出具であって、
前記ロッド部材は、前記押圧部材の上面周縁部に垂直に螺着され、
前記押圧部材は、周縁に近い円上に均一に配置された複数の貫通した丸孔部を有し、
前記ロッド部材と前記押圧部材は、金属素材若しくは合成樹脂素材により形成してなることを特徴とするティーバック用抽出具。
【請求項２】
前記押圧部材は、網目状の貫通孔を有する請求項１に記載のティーバック用抽出具。
【請求項３】
前記ロッド部材と前記押圧部材とは、金属素材若しくは合成樹脂素材により一体に形成してなるとを特徴とする請求項１若しくは請求項２に記載のティーバック用抽出具。
【発明の詳細な説明】
【技術分野】
【０００１】  本発明は，ティーバッグ用抽出具に係り，詳しくは，水又は熱湯にティーバッグを浸漬して茶葉の抽出液を抽出する時に使用するティーバッグ用抽出具に関する。
【背景技術】
【０００２】  コーヒー・紅茶を入れる時ティーバッグが広く使われている。
ティーバッグをコップの中に入れ湯を注いで、抽出液の好みの濃さを確認して取り出す。ティーバッグには、紐がついており、入れ終わった時紐をもって引き上げるのが一般的な方法である。ティーバッグからコーヒー・紅茶の抽出液が自然と染み出るのを待つというたしなみ方である。【０００３】  この自然抽出法は、時間もかかるし、味わい深い楽しみ方が出来るとはいえない。そこで、短時間で、より濃厚な味を得たいために、工夫がなされている。特許文献１によれば、ティーバッグをカップに入れた後、ティーバッグをカップの側面に押し付けて、ティーバッグ内の抽出液をティーバッグから押し出すようにしたティーバッグ等の押出具を提案している。
【先行技術文献】
【特許文献】
【０００４】
【特許文献１】特開平０５−０２３２４２号公報
【発明の概要】
【発明が解決しようとする課題】
【０００５】  特開平０５−０２３２４２号公報により提案されている押出具は、ティーバッグをカップの側面に押し付けて、抽出液を絞り出すために使用されているが、側面に押し付ける操作は、失敗すると抽出液が、コップから溢れる危険が潜む。
【課題を解決するための手段】
【０００６】  本発明は、かかる点に着目して発想したものである。
本発明のティーバッグ用抽出具は、円板状の押圧部材とロッド部材とを備え、
前記ロッド部材は、前記押圧部材の上面周縁部に垂直に螺着され、
前記押圧部材は、周縁に近い円上に均一に配置された複数の貫通した丸孔部を有し、
前記ロッド部材と前記押圧部材は、金属素材若しくは合成樹脂素材により形成してなることを第１の特徴とする。【０００７】  本発明のティーバッグ用抽出具は、４角板状の押圧部材とロッド部材とを備え、
前記ロッド部材は、前記押圧部材の上面周縁部に垂直に螺着され、
前記押圧部材は、板上に配置された網目状の４角形貫通孔部を有し、
前記ロッド部材と前記押圧部材は、金属素材若しくは合成樹脂素材により形成してなることを第２の特徴とする。【０００８】  前記ロッド部材と前記押圧部材は、金属素材若しくは合成樹脂素材により一体に形成してなることを第３の特徴とする。
【発明の効果】
【０００９】  ティーバッグ用抽出具の押圧部材には丸孔部又は網目状の貫通孔部があるので、滲出操作を行った時、茶葉の抽出液の滲出を阻害しないばかりでなく、抽出液が、丸孔部又は貫通孔部を順逆方向に通過するので、カップに溢れ出ることを抑止するという第１の効果がある。
滲出動作を完了したのち、押圧部材をティーバッグの下部に挿入した上、ロッド部材の軸方向上方に引き上げるのみで後処理が済むので、通常使用しているティーバッグの紐は、不要になるという第２の効果がある。
ロッド部材は、押圧部材に垂直に配設されているので、下方へ押し易く、
抽出後のティーバッグを掬いあげ易いという第３の効果もある。
【図面の簡単な説明】
【００１０】
【図１】（ａ）は、ティーバッグ用抽出具８の側面図及び平面図であり、（ｂ）は、ティーバッグ用抽出具９の側面図及び平面図である。
【図２】（ａ）は、ティーバッグ用抽出具４の側面図及び平面図であり、（ｂ）は、ティーバッグ用抽出具６の側面図及び平面図である。
【図３】（ａ）は、ティーバッグ用抽出具５の側面図及び平面図であり、（ｂ）は、ティーバッグ用抽出具７の側面図及び平面図である。
【図４】（ａ）は、本発明に係るティーバッグ用抽出具の利用の説明図であり、（ｂ）本発明に係るティーバッグ用抽出具の利用の平面図である。
【図５】（ａ）は、ティーバッグ用抽出具を下方に押している状態図であり、（ｂ）は押圧されたティーバッグの下部に押圧部材を挿入した状態図である。
【発明を実施するための形態】
【００１１】  液の跳ね上がりを防止することが出来るという目的を、操作棒の先端に直角に押圧部材を設けたティーバッグ用抽出具を使用することによって実現した。
この明細書に記載の各実施例に示すティーバッグ用抽出具の機能は同一であり、素材はアルミニュウム製又はステンレス製若しくはポリプロピレン製又はポリエチレン製である。
この明細書に記載のティーには、コーヒー、日本茶、紅茶、ハーブ茶等類似の茶葉を含み、ティーバッグ２は、平面袋状、３角錐状又は４角錐状の形状を有し、メッシュ状極細繊維不織布よりなる。
この明細書に記載の寸法は、概略値である。
【実施例１】
【００１２】  図１（ａ）に、本発明に係るティーバッグ用抽出具８を示す。
ティーバッグ用抽出具８は、円板状の押圧部材８２とロッド部材８１とよりなり、前記ロッド部材８１は、前記押圧部材８２の上面周縁部にロッド部材８１を垂直に配設してなり、前記押圧部材８２は、周縁に近い円上に均一に配置された複数の貫通した丸孔部８３を有する。前記前記押圧部材８２とロッド部材８１は、金属素材若しくは合成樹脂素材により一体に形成される。【００１３】  ロッド部材８１の直径は２ｍｍ、長さは１０ｃｍ、押圧部材８２の円板の直径は１．５ｃｍ、厚さは２ｍｍ。押圧部材８２は、直径１ｃｍの円周上に均等に配列された１０個乃至１５個の丸孔部８３を有し、その直径は１ｍｍである。【００１４】  図４に示すように、ティーバッグ２を、カップ１に入れ、湯を所定の分量（液面１０として図示）だけ注ぐ。茶葉粉３が蒸れた頃に、滲出操作を開始する。図５（ａ）に示すように、ティーバッグ用抽出具８のロッド部材８１をティーバッグ方向１１に動かし、カップ１内のティーバッグ２をコップ１の底辺に押し付けるように押す。これによって、ティーバッグ２を押圧して抽出液の滲出を加速する。その時茶葉の抽出液が、ティーバッグ２から滲出した上に、茶葉の抽出液の一部は、押圧部材８２に穿孔されている丸孔部８３を通って押圧部材８２上面に溢れる（順流する）ので、抽出液が、カップ１から溢れ出ることを抑止する効果がある。ティーバッグ２は、押圧されたティーバッグ２１のように押しつぶされる。【００１５】  ロッド部材８１を軸方向に対して上方１２に向かって動かす時も、抽出液が、丸孔部８３から逆流することによって、抽出液が、カップ１から溢れ出ることを抑止する効果がある。【００１６】  このサイクルを繰り返すことによって、抽出液がカップから溢れ出ることなく、瞬時に味を細かに調整することが可能となる。【００１７】  図５（ｂ）に示すように、滲出動作を完了した後は、押圧されたティーバッグ２１の下部に押圧部材８２を挿入した上、ロッド部材の軸方向上方１２に引き上げるのみで後処理が済むので、通常使用されているティーバッグの紐は、不要になるという効果がある。
【実施例２】
【００１８】  図１（ｂ）に、本発明に係るティーバッグ用抽出具９を示す。ティーバッグ用抽出具９は、４角板状の押圧部材９２とロッド部材９１とよりなり、前記押圧部材９２の上面周縁部にロッド部材９１を垂直に配設してなり、前記押圧部材９２は、上面に配置された網目状の４角形貫通孔部９３を有する。押圧部材９２とロッド部材９１とは、一体に形成される。本明細書では、貫通孔は４角形であるが、編目状を形成するために使用できる形であれば、形式は問わない。【００１９】  ロッド部材９１の直径は２ｍｍ、長さは１０ｃｍ、押圧部材９２の直径は１．５ｃｍ、厚さは２ｍｍ。押圧部材９２の縦横は１．５ｃｍ、厚さは２ｍｍ。押圧部材９２は、押圧部材上９２に編目状に配列された１０個乃至１５個の４角形の貫通孔部を有し、その大きさは１ｘ２ｍｍである。
【実施例３】
【００２０】  図２（ａ）に、本発明に係るティーバッグ用抽出具４を示す。ティーバッグ用抽出具４は、円板状の押圧部材４２とロッド部材４１とよりなり、前記ロッド部材４１は、前記押圧部材４２の上面周縁部に垂直にネジ４６により螺着される。
前記押圧部材４２は、周縁に近い円上に均一に配置された複数の貫通した丸孔部５３を有する。【００２１】  ロッド部材４１の直径は２ｍｍ、長さは１０ｃｍ、押圧部材４２の直径は１．５ｃｍ、厚さは２ｍｍ。押圧部材４２は、直径１ｃｍの円周上に均等に配列された１０個乃至１５個の丸孔部４３を有し、その直径は１ｍｍである。
【実施例４】
【００２２】  図２（ｂ）に、本発明に係るティーバッグ用抽出具６を示す。ティーバッグ用抽出具６は、４角板状の押圧部材６２とロッド部材６１とよりなり、前記ロッド部材６１は、前記押圧部材６２の上面に垂直にネジ６６によって螺着される。
前記押圧部材６２は、上面に配置された網目状の４角形貫通孔部６３を有する。【００２３】  ロッド部材６１の直径は２ｍｍ、長さは１０ｃｍ、押圧部材６２の縦横は１．５ｃｍ、厚さは２ｍｍ。押圧部材６２は、上面に編目状に配列された１０個乃至１５個の４角形の貫通孔部６３を有し、その大きさは１ｘ２ｍｍである。
【実施例５】
【００２４】  図３（ａ）に、本発明に係るティーバッグ用抽出具５を示す。ティーバッグ用抽出具５は、４角板状の押圧部材５２とロッド部材５１とよりなり、前記ロッド部材５１は、先端にネジ部５４を有し、前記押圧部材５２の上面に穿孔されたネジ穴５５にネジ部５４を螺着する。前記押圧部材５２は、周縁に近い円上に均一に配置された複数の貫通した丸孔部５３を有する。【００２５】  ロッド部材５１の直径は２ｍｍ、長さは１０ｃｍ、押圧部材５２の直径は１．５ｃｍ、厚さは２ｍｍ。押圧部材５２は、直径１ｃｍの円周上に均等に配列された１０個乃至１５個の丸孔部５３を有し、その直径は１ｍｍである。
【実施例６】
【００２６】  図３（ｂ）に、本発明に係るティーバッグ用抽出具７を示す。ティーバッグ用抽出具７は、４角板状の押圧部材７２とロッド部材７１とよりなり、前記ロッド部材７１は、先端にネジ部７４を有し、前記押圧部材７２の上面に穿孔されたネジ穴７５にネジ部７４を螺着する。前記押圧部材７２は、上面に配置された網目状の４角形貫通孔部７３を有する。【００２７】  ロッド部材７１の直径は２ｍｍ、長さは１０ｃｍ、押圧部材７２の縦横は１．５ｃｍ、厚さは２ｍｍ。押圧部材７２は、押圧部材７２の上面に編目状に配列された１０個乃至１５個の４角形の貫通孔部を有し、その大きさは１ｘ２ｍｍである。
【符号の説明】
【００２８】      １      カップ
２      ティーバッグ、
２１  押圧されたティーバッグ
３      茶葉粉
４、５、６、７、８、９、  ティーバッグ用抽出具
４１、５１、６１、７１、８１、９１  ロッド部材
４２、５２、６２、７２、８２、９２  押圧部材
４３、５３、８３    丸孔部
４６、６６        ネジ
５４、７４          ネジ部
５６、７５          ネジ孔
６３，７３、９３  網目状の貫通孔部
１１、１２  方向
１０  液面
【図１】
2019093079.tif 000003
【図２】
2019093079.tif 000004
【図３】
2019093079.tif 000005
【図４】
2019093079.tif 000006
【図５】
2019093079.tif 000007